(57)【要約】【課題】記録密度を向上できる磁気記録再生装置を提供する。【解決手段】実施形態によれば、磁気記録再生装置は、磁極とコイルとを含む磁気ヘッドと、磁気ヘッドにより記録情報が記録される磁気記録媒体と、コイルに電気的に接続され第１動作を行う出力ドライバと、を含む。第１動作は、記録情報が、第１期間及び第１期間の直後の第２期間において第１情報であり、第２期間の直後の第３期間及び第３期間の直後の第４期間において第２情報であるときに実施される。出力ドライバの出力は、第１期間において第１極性の第１電圧であり、第２期間において第１極性の第２電圧であり、第２電圧の絶対値は第１電圧の絶対値よりも大きく、第３期間において第１極性とは逆の第２極性の第３電圧であり、第４期間において第２極性の第４電圧であり、第４電圧の絶対値は第３電圧の絶対値よりも小さい。【選択図】図１
2017168168.tif 000002
【特許請求の範囲】
【請求項１】
磁極とコイルとを含む磁気ヘッドと、
前記磁気ヘッドにより記録情報が記録される磁気記録媒体と、
前記コイルに電気的に接続され第１動作を行う出力ドライバと、
を備え、
前記第１動作は、前記記録情報が、
第１期間において第１情報であり、
前記第１期間の直後の第２期間において前記第１情報であり、
前記第２期間の直後の第３期間において前記第１情報とは異なる第２情報であり、
前記第３期間の直後の第４期間において前記第２情報であるときに実施され、
前記第１動作において、
前記第１期間の少なくとも一部における前記出力ドライバの出力は、第１極性の第１電圧であり、
前記第２期間の少なくとも一部における前記出力は、前記第１極性の第２電圧であり、前記第２電圧の絶対値は前記第１電圧の絶対値よりも大きく、
前記第３期間の少なくとも一部における前記出力は、前記第１極性とは逆の第２極性の第３電圧であり、
前記第４期間の少なくとも一部における前記出力は、前記第２極性の第４電圧であり、前記第４電圧の絶対値は前記第３電圧の絶対値よりも小さい、磁気記録再生装置。
【請求項２】
前記出力ドライバは、第２動作をさらに実施し、
前記第２動作は、前記記録情報が、
前記第４期間の直後の第５期間に前記第２情報であり、
前記第５期間の直後の第６期間に前記第１情報であるとき実施され、
前記第２動作において、
前記第５期間の少なくとも一部における前記出力は、前記第２極性の第５電圧であり、前記第５電圧の絶対値は、前記第４電圧の前記絶対値よりも大きく、
前記第６期間の少なくとも一部における前記出力は、前記第１極性の第６電圧であり、前記第６電圧の絶対値は、前記第１電圧の前記絶対値よりも大きい、請求項１記載の磁気記録再生装置。
【請求項３】
前記出力ドライバは、第３動作をさらに実施し、
前記第３動作は、前記記録情報が、
第７期間において第１情報であり、
前記第７期間の直後の第８期間において前記第２情報であり、
前記第８期間の直後の第９期間において前記第１情報であるときに実施され、
前記第３動作において、
前記第７期間の少なくとも一部における前記出力は、前記第１極性の第７電圧であり、前記第７電圧の絶対値は、前記第１電圧の前記絶対値よりも大きく、
前記第８期間の少なくとも一部における前記出力は、前記第２極性の第８電圧であり、前記第８電圧の絶対値は、前記第４電圧の前記絶対値よりも大きく、
前記第９期間の少なくとも一部における前記出力は、前記第７電圧である、請求項１または２に記載の磁気記録再生装置。
【請求項４】
前記出力ドライバは、第４動作をさらに実施し、
前記第４動作は、前記記録情報が、前記第９期間の直後の第１０期間において前記第２情報であるときに実施され、
前記第４動作において、
前記第１０期間の少なくとも一部における前記出力は、前記第８電圧である、請求項３記載の磁気記録再生装置。
【請求項５】
前記出力ドライバは、第５動作をさらに実施し、
前記第５動作は、前記記録情報が、
第１１期間において前記第１情報であり、
前記第１１期間の直後の第１２期間において前記第１情報であり、
前記第１２期間の直後の第１３期間において前記第２情報であり、
前記第１３期間の直後の第１４期間において前記第２情報であるときに実施され、
前記第５動作において、
前記第１１期間の少なくとも一部における前記出力は、前記第１極性の第９電圧であり、前記第９電圧の絶対値は、前記第１電圧の前記絶対値よりも大きく、
前記第１２期間の少なくとも一部における前記出力は、前記第２電圧であり、
前記第１３期間の少なくとも一部における前記出力は、前記第３電圧であり、
前記第１４期間の少なくとも一部における前記出力は、前記第２極性の第１０電圧であり、前記第１０電圧の絶対値は前記第４電圧の前記絶対値よりも大きい、請求項１〜４のいずれか１つに記載の磁気記録再生装置。
【請求項６】
前記出力ドライバは、第６動作をさらに実施し、
前記第６動作は、前記記録情報が、
前記第１４期間の直後の第１５期間において前記第１情報であり、
前記第１５期間の直後の第１６期間において前記第１情報であるときに実施され、
前記第６動作において、
前記第１５期間の少なくとも一部における前記出力は、前記第９電圧であり、
前記第１６期間の少なくとも一部における前記出力は、前記第２電圧である、請求項５記載の磁気記録再生装置。
【請求項７】
前記出力ドライバは、第７動作をさらに実施し、
前記第７動作は、前記記録情報が、
第１７期間において前記第１情報であり、
前記第１７期間の直後の第１８期間において前記第１情報であり、
前記第１８期間の直後の第１９期間において前記第１情報であり、
前記第１９期間の直後の第２０期間において前記第２情報であり、
前記第２０期間の直後の第２１期間において前記第１情報であるときに実施され、
前記第７動作において、
前記第１７期間の少なくとも一部における前記出力は、前記第１極性の第１１電圧であり、前記第１１電圧の絶対値は、前記第１電圧の前記絶対値よりも大きく、
前記第１８期間の少なくとも一部における前記出力は、前記第１電圧であり、
前記第１９期間の少なくとも一部における前記出力は、前記第２電圧であり、
前記第２０期間の少なくとも一部における前記出力は、前記第２極性の第１２電圧であり、前記第１２電圧の絶対値は、前記第４電圧の前記絶対値よりも大きく、
前記第２１期間の少なくとも一部における前記出力は、前記第１１電圧である、請求項１〜６のいずれか１つに記載の磁気記録再生装置。
【請求項８】
前記出力ドライバは、第８動作をさらに実施し、
前記第８動作は、前記記録情報が、
前記第２１期間の直後の第２２期間において前記第２情報であり、
前記第２２期間の直後の第２３期間において前記第１情報であり、
前記第８動作において、
前記第２２期間の少なくとも一部における前記出力は、前記第３電圧であり、
前記第２３期間の少なくとも一部における前記出力は、前記第４電圧である、請求項７記載の磁気記録再生装置。
【発明の詳細な説明】
【技術分野】
【０００１】
本発明の実施形態は、磁気記録再生装置に関する。
【背景技術】
【０００２】
磁気記録再生装置において、ＨＤＤ（Hard Disk Drive）などの磁気記憶媒体に情報が記録される。磁気記録再生装置において、記録密度の向上が望まれる。
【先行技術文献】
【特許文献】
【０００３】
【特許文献１】特開２００６−２５２６８７号公報
【発明の概要】
【発明が解決しようとする課題】
【０００４】
本発明の実施形態は、記録密度を向上できる磁気記録再生装置を提供する。
【課題を解決するための手段】
【０００５】
本発明の実施形態によれば、磁気記録再生装置は、磁極とコイルとを含む磁気ヘッドと、前記磁気ヘッドにより記録情報が記録される磁気記録媒体と、前記コイルに電気的に接続され第１動作を行う出力ドライバと、を含む。前記第１動作は、前記記録情報が、第１期間において第１情報であり、前記第１期間の直後の第２期間において前記第１情報であり、前記第２期間の直後の第３期間において前記第１情報とは異なる第２情報であり、前記第３期間の直後の第４期間において前記第２情報であるときに実施される。前記第１動作において、前記第１期間の少なくとも一部における前記出力ドライバの出力は、第１極性の第１電圧であり、前記第２期間の少なくとも一部における前記出力は、前記第１極性の第２電圧であり、前記第２電圧の絶対値は前記第１電圧の絶対値よりも大きく、前記第３期間の少なくとも一部における前記出力は、前記第１極性とは逆の第２極性の第３電圧であり、前記第４期間の少なくとも一部における前記出力は、前記第２極性の第４電圧であり、前記第４電圧の絶対値は前記第３電圧の絶対値よりも小さい。
【図面の簡単な説明】
【０００６】
【図１】図１（ａ）〜図１（ｃ）は、実施形態に係る磁気記録再生装置を例示する模式図である。
【図２】図２（ａ）〜図２（ｄ）は、参考例の磁気記録再生装置を例示する模式図である。
【図３】図３（ａ）及び図３（ｂ）は、実施形態に係る磁気記録再生装置の別の動作を例示する模式図である。
【図４】図４（ａ）及び図４（ｂ）は、実施形態に係る磁気記録再生装置の別の動作を例示する模式図である。
【図５】図５（ａ）及び図５（ｂ）は、実施形態に係る磁気記録再生装置の別の動作を例示する模式図である。
【図６】図６（ａ）及び図６（ｂ）は、実施形態に係る磁気記録再生装置の特性を例示する模式図である。
【図７】実施形態に係る磁気記録再生装置の特性を例示する模式図である。
【図８】図８（ａ）及び図８（ｂ）は、実施形態に係る磁気記録再生装置を例示する模式図である。
【図９】図９（ａ）及び図９（ｂ）は、実施形態に係る磁気記録再生装置を例示する模式図である。
【図１０】図１０（ａ）及び図１０（ｂ）は、実施形態に係る磁気記録再生装置を例示する模式図である。
【図１１】図１１（ａ）〜図１１（ｃ）は、実施形態に係る磁気記録再生装置を例示する模式図である。
【図１２】実施形態に係る磁気記録再生装置の一部を例示する模式的断面図である。
【図１３】実施形態に係る磁気記録再生装置の一部を例示する模式的斜視図である。
【図１４】実施形態に係る磁気記録再生装置を例示する模式的斜視図である。
【図１５】図１５（ａ）及び図１５（ｂ）は、実施形態に係る磁気記録再生装置の一部を例示する模式的斜視図である。
【発明を実施するための形態】
【０００７】
以下に、本発明の各実施の形態について図面を参照しつつ説明する。  
図面は模式的または概念的なものであり、各部分の厚みと幅との関係、部分間の大きさの比率などは、必ずしも現実のものと同一とは限らない。同じ部分を表す場合であっても、図面により互いの寸法や比率が異なって表される場合もある。  
本願明細書と各図において、既出の図に関して前述したものと同様の要素には同一の符号を付して詳細な説明は適宜省略する。
【０００８】
図１（ａ）〜図１（ｃ）は、実施形態に係る磁気記録再生装置を例示する模式図である。  
図１（ｃ）は、磁気記録再生装置の構成を例示する模式図である。図１（ａ）は、磁気記録再生装置で記録される情報の例を示している。図１（ｂ）は、この情報を記録するための信号を例示している。
【０００９】
図１（ｃ）に示すように、本実施形態に係る磁気記録再生装置１５０は、磁気ヘッド１１０と、磁気記録媒体８０と、出力ドライバ１９０Ｄと、を含む。磁気ヘッド１１０は、磁極１０（主磁極）と、コイル２０と、を含む。磁気ヘッド１１０は、例えば、ヘッドスライダ３に設けられる。ヘッドスライダ３は、例えば、ヘッドジンバルアセンブリ１５８などの端に取り付けられる。
【００１０】
磁気ヘッド１１０は、磁気記録媒体８０と対向するように配置される。例えば、磁気記録媒体８０から磁気ヘッド１１０に向かう方向が、Ｚ軸方向である。磁気記録媒体８０に、磁気ヘッド１１０により記録情報が記録される。
【００１１】
出力ドライバ１９０Ｄは、コイル２０に電気的に接続される。出力ドライバ１９０Ｄから、記録電流Ｉｗがコイル２０に供給される。コイル２０を流れる記録電流Ｉｗにより、磁極１０から記録磁界が生じる。記録磁界が磁気記録媒体８０に印加され、磁気記録媒体８０の磁化が変化する。これにより、磁気記録媒体８０に、情報（記録情報）が記録される。
【００１２】
例えば、磁気記録再生装置１５０に信号処理部１９０が設けられる。出力ドライバ１９０Ｄは、信号処理部１９０の出力部に対応する。信号処理部１９０の入力部に、記録情報Ｖｉｎｆが供給される。記録情報Ｖｉｎｆは、記録すべき情報に対応する。
【００１３】
出力ドライバ１９０Ｄから、出力Ｖｄｒ（電圧）が出力される。出力Ｖｄｒは、記録情報Ｖｉｎｆに対応する。出力Ｖｄｒの変化は、記録電流Ｉｗの変化に対応する。実施形態において、出力ドライバ１９０Ｄからコイル２０までの間の経路において、信号（電圧）が歪む場合がある。以下では、出力ドライバ１９０Ｄの出力Ｖｄｒについて説明する。出力ドライバ１９０Ｄの出力Ｖｄｒにおいては、比較的歪が小さい。
【００１４】
出力ドライバ１９０Ｄの出力Ｖｄｒ（電圧）に応じた電流がコイル２０に流れる。例えば、出力Ｖｄｒ（電圧）の極性が正のときにコイル２０に流れる電流の向きは、出力Ｖｄｒ（電圧）の極性が負のときにコイル２０に流れる電流の向きと、反対である。出力Ｖｄｒ（電圧）の絶対値が大きいときにコイル２０に流れる電流の大きさは、出力Ｖｄｒ（電圧）の絶対値が小さいときにコイル２０に流れる電流の大きさよりも大きい。
【００１５】
情報記録において、論理データを２値の電気信号により表す方法として、例えば、ＮＲＺ（Non-Return to Zero）方式と、ＮＲＺＩ（Non-Return to Zero INverse）方式と、がある。以下では、例としてＮＲＺ方式の例について説明する。以下の説明は、ＮＲＺＩ方式にも同様に適用できる。
【００１６】
出力ドライバ１９０Ｄは、以下の第１動作ＯＰ１を行う（図１（ｂ）参照）。この第１動作ＯＰ１は、例えば、記録情報Ｖｉｎｆが図１（ａ）に示すような場合に行われる。
【００１７】
図１（ａ）は、記録情報Ｖｉｎｆを例示している。横軸は、時間ｔである。縦軸は、記録情報Ｖｉｎｆに対応する信号電圧である。
【００１８】
図１（ａ）に示すように、第１動作ＯＰ１において、記録情報Ｖｉｎｆは、第１〜第４期間Ｄ１〜Ｄ４を含む。第１期間Ｄ１において、記録情報Ｖｉｎｆは、第１情報である。第１期間Ｄ１の直後の第２期間Ｄ２において、記録情報Ｖｉｎｆは、第１情報である。第２期間Ｄ２の直後の第３期間Ｄ３において、記録情報Ｖｉｎｆは、第１情報とは異なる第２情報である。第３期間Ｄ３の直後の第４期間Ｄ４において、記録情報Ｖｉｎｆは、第２情報である。
【００１９】
実施形態において、第１情報は、「１」及び「０」の一方である。第２情報は、「１」及び「０」の他方である。以下の例では、第１情報が「１」であり、第２情報は「０」とする。
【００２０】
図１（ａ）に示すように、この例では、記録情報Ｖｉｎｆは、「１１１０００１１１」である。上記の第１〜第４期間Ｄ１〜Ｄ４は、このような記録情報Ｖｉｎｆの一部である。
【００２１】
最小の記録期間を、単位記録期間「Ｔ」とする。この例では、「３Ｔ」の期間で「１」が記録され、「３Ｔ」の期間で「０」が記録される。
【００２２】
図１（ａ）に示すように、例えば、記録情報Ｖｉｎｆが第１情報のときに、信号電圧は、電圧Ｖｉ１である。記録情報Ｖｉｎｆが第２情報のときに、信号電圧は、電圧Ｖｉ０である。例えば、第２期間Ｄ２から第３期間Ｄ３に切り替わるときに、記録情報Ｖｉｎｆに対応する信号電圧は、電圧Ｖｉ１から電圧Ｖｉ０に変化する。記録情報Ｖｉｎｆに対応する信号電圧が電圧Ｖｉ１と電圧Ｖｉ０との中間の値になるときが、第１情報から第２情報への切り替えのタイミングに対応する。
【００２３】
このような記録情報Ｖｉｎｆのときに、出力ドライバ１９０Ｄは、図１（ｂ）に例示する第１動作ＯＰ１を行う。
【００２４】
図１（ｂ）は、出力ドライバ１９０Ｄの出力Ｖｄｒを示している。図１（ｂ）の横軸は、時間ｔである。縦軸は、出力ドライバ１９０Ｄの出力Ｖｄｒ（出力信号の電圧）を示す。
【００２５】
第１動作ＯＰ１において、第１期間Ｄ１の少なくとも一部における出力ドライバ１９０Ｄの出力Ｖｄｒは、第１極性の第１電圧Ｖ１である。第１動作ＯＰ１において、第２期間Ｄ２の少なくとも一部における出力Ｖｄｒは、第１極性の第２電圧Ｖ２である。第２電圧Ｖ２の絶対値は、第１電圧Ｖ１の絶対値よりも大きい、そして、第１動作ＯＰ１において、第３期間Ｄ３の少なくとも一部における出力Ｖｄｒは、第１極性とは逆の第２極性の第３電圧Ｖ３である。第１動作ＯＰ１において、第４期間Ｄ４の少なくとも一部における出力Ｖｄｒは、第２極性の第４電圧である。第４電圧Ｖ４の絶対値は、第３電圧Ｖ３の絶対値よりも小さい。
【００２６】
この例では、第１極性は正であり、第２極性は負である。実施形態において、極性は逆でも良い。以下では、第１極性が正であり、第２極性が負であるとする。
【００２７】
実施形態においては、例えば、第１情報（「１」）が第１電圧Ｖ１に対応し、第２情報（「０」）が第４電圧Ｖ４に対応する。そして、実施形態において、記録情報Ｖｉｎｆが第１情報から第２情報に切り替わるときに、これらの電圧とは異なる電圧が用いられる。すなわち、第２期間Ｄ２から第３期間Ｄ３への切り替え（第１情報から第２情報への切り替えＳ１０）の際に、出力Ｖｄｒは、第１電圧Ｖ１とは異なる第２電圧Ｖ２から、第４電圧Ｖ４とは異なる第３電圧Ｖ３に変化する。
【００２８】
すなわち、切り替えＳ１０の直前においては、第１情報に対応する出力Ｖｄｒが、第２電圧Ｖ２となる。切り替えＳ１０の直後においては、第２情報に対応する出力Ｖｄｒが、第３電圧Ｖ３となる。第２電圧Ｖ２は、記録情報Ｖｉｎｆの切り替えＳ１０の直前のプレパルスである。第３電圧Ｖ３は、記録情報Ｖｉｎｆの切り替えＳ１０の直後のポストパルスである。
【００２９】
このように、実施形態においては、切り替えＳ１０の直前にプレパルスが印加され、切り替えＳ１０の直後にポストパルスが印加される。これらのパルスがコイル２０に印加される。このようなプレパルス及びポストパルスを含む出力Ｖｄｒに対応する記録電流Ｉｗが、コイル２０に流れる。これにより、記録密度を向上できる。記録密度の向上については、後述する。
【００３０】
上記においては、第１状態（「１］）から第２状態（「０］）への切り替えＳ１０の例について説明した。以下では、第２状態（「０］）から第１状態（「１］）への切り替えＳ０１の例について説明する。
【００３１】
図１（ａ）及び図１（ｂ）に示すように、出力ドライバ１９０Ｄは、以下の第２動作ＯＰ２をさらに実施する。第２動作ＯＰ２は、記録情報Ｖｉｎｆが、第４期間Ｄ４の直後の第５期間Ｄ５に第２情報（この例では「０」）であり、第５期間Ｄ５の直後の第６期間Ｄ６に第１情報（この例では、「１」）であるときに、実施される。
【００３２】
第２動作ＯＰ２において、第５期間Ｄ５の少なくとも一部における出力Ｖｄｒは、第２極性（この例では負）の第５電圧Ｖ５である。第５電圧Ｖ５の絶対値は、第４電圧Ｖ４の絶対値よりも大きい。第２動作ＯＰ２において、第６期間Ｄ６の少なくとも一部における出力Ｖｄｒは、第１極性（この例では正）の第６電圧Ｖ６である。第６電圧Ｖ６の絶対値は、第１電圧Ｖ１の絶対値よりも大きい。
【００３３】
この例では、第５電圧Ｖ５は、第３電圧Ｖ３と同じである。第６電圧Ｖ６は、第２電圧Ｖ２と同じである。実施形態において、第５電圧Ｖ５は、第３電圧Ｖ３と異なっても良く、第６電圧Ｖ６は、第２電圧Ｖ２と異なっても良い。例えば、第５電圧Ｖ５の絶対値は、第３電圧Ｖ３の絶対値よりも小さくても良い。例えば、第６電圧Ｖ６の絶対値は、第２電圧Ｖ２の絶対値よりも小さくても良い。
【００３４】
このように、この例では、第２状態（「０］）から第１状態（「１］）への切り替えＳ０１の直前においては、第２情報に対応する出力Ｖｄｒが、第５電圧Ｖ５となる。切り替えＳ０１の直後においては、第１情報に対応する出力Ｖｄｒが、第６電圧Ｖ６となる。第５電圧Ｖ５は、記録情報Ｖｉｎｆの切り替えＳ０１の直前のプレパルスである。第６電圧Ｖ６は、記録情報Ｖｉｎｆの切り替えＳ０１の直後のポストパルスである。このようなプレパルス及びポストパルスを含む出力Ｖｄｒに対応する記録電流Ｉｗが、コイル２０に流れる。
【００３５】
このように、実施形態においては、切り替えＳ０１の直前にプレパルスが印加され、切り替えＳ０１の直後にポストパルスが印加される。これらのパルスがコイル２０に印加される。これにより、記録密度を向上できる。
【００３６】
以下、実施形態に係る磁気記録再生装置１５０の特性について、参考例を参照しつつ説明する。
【００３７】
図２（ａ）〜図２（ｄ）は、参考例の磁気記録再生装置を例示する模式図である。  
図２（ａ）は、記録情報Ｖｉｎｆを例示している。図２（ｂ）〜図２（ｄ）は、第１〜第３参考例の磁気記録再生装置１５０ｘ〜１０５ｚの動作を例示している。
【００３８】
図２（ａ）に示すように、この例において、記録情報Ｖｉｎｆは、「０００１１１１０１０００」である。すなわち、「３Ｔ」の期間（ロングＴの期間）において「０］であり、その後、「４Ｔ」の期間（ロングＴの期間）において「１］である。その後、「１Ｔ」の期間（ショートＴの期間）において「０」であり、その後、「１Ｔ」の期間（ショートＴの期間）において「１」である。さらに、その後、「３Ｔ」の期間（ロングＴの期間）において「０」である。
【００３９】
図２（ｂ）に示すように、第１参考例の磁気記録再生装置１５０ｘおいては、「１」のときに第２電圧Ｖ２であり、「０」のときに第３電圧Ｖ３である。これらの電圧は、比較的高い。すなわち、第１参考例においては、記録電流Ｉｗの絶対値が大きく設定される。このような第１参考例によれば、「１」のときに第１電圧Ｖ１であり「０」のときに第４電圧Ｖ４である参考例（図２（ｂ）の点線）に比べて、磁極１０の磁化の反転が速くなる。特に、磁極１０のなかの磁気記録媒体８０から遠い部分における磁化の反転が速くなる。しかしながら、このような第１参考例においては、例えば、磁極１０から生じるフリンジ磁界が大きくなる。このため、記録しているトラックの隣のトラックに悪影響を与えてしまう。記録電流Ｉｗを単純に大きくする第１参考例は、実用的でない。
【００４０】
図２（ｃ）に示すように、第２参考例の磁気記録再生装置１５０ｙにおいては、情報の切り替えの際に、オーバーシュート信号が用いられる。すなわち、期間Ｄｘ１（「０」から「１」への切り替えの直後）において、第２電圧Ｖ２（高パルス）が用いられる。情報が切り替わった後の期間Ｄｘ２や、情報が切り替わる直前の期間Ｄｘ３では、第１電圧Ｖ１（低電圧）が用いられる。第１期間Ｄｘ１の第２電圧Ｖ２（高パルス）は、オーバーシュート信号である。そして、「０」の期間Ｄｘ４において、第３電圧Ｖ３（高パルス）が用いられる。第３電圧Ｖ３（高パルス）もオーバーシュート信号である。さらに、その後の「１」の期間Ｄｘ５において、第２電圧Ｖ２（高パルス、オーバーシュート信号）が用いられる。である。そして、「０」の期間Ｄｘ６において、第３電圧Ｖ３（高パルス、オーバーシュート信号）が用いられる。その後、「０」の期間Ｄｘ７において、第４電圧（低電圧）が用いられる。
【００４１】
このように、第２参考例においては、情報が切り替わった直後の出力Ｖｄｒの絶対値が、通常の信号の絶対値よりも大きくされる。このようなオーバーシュート信号により、磁極１０の磁化の応答が速くなると考えられる。
【００４２】
しかしながら、第２参考例においては、記録情報Ｖｉｎｆの内容が異なると、磁極１０の磁化の応答において、差が生じてしまう。例えば、図１（ｃ）の例では、期間Ｄｘ１の直前においては、「０００」であり、ロングＴの「０」からの切り替えＳＬ０１である。一方、期間Ｄｘ５の直前においては、「１」であり、ショートＴの「０」からの切り替えＳＳ０１である。同様に、期間Ｄｘ４の直前においては「１１１１」であり、ロングＴの「１」からの切り替えＳＬ１０である。一方、期間Ｄｘ６の直前においては「１」であり、ショートＴの「１」からの切り替えＳＳ１０である。ロングＴからの切り替えの立ち上がりにおける磁極１０の磁化の応答は、ショートＴからの切り替えの立ち上がりにおける磁極１０の磁化の応答よりも遅い。このため、オーバーシュート信号を用いる第２参考例においては、切り替えの前の記録情報Ｖｉｎｆの内容に依存して、磁化の状態に差が生じる。このため、例えば、記録されるべき情報に応じた均一な記録が困難である。第２参考例においては、実質的に均一な状態を得ようとすると、記録密度が低くなる。
【００４３】
この問題を改善するために、図２（ｄ）に示す第３参考例の磁気記録再生装置１５０ｚが考えられる。第３参考例においては、記録情報Ｖｉｎｆの内容に応じて、オーバーシュートの大きさ（高さ）を変化させる。すなわち、第３参考例においては、例えば、ＰＤＷ（Pattern Dependent Writing）が行われる。図２（ｄ）の例では、「０００」の後の期間Ｄｘ１（切り替えＳＬ０１）において、オーバーシュート信号は高い。これに対して、「０」の後の期間Ｄｘ５（切り替えＳＳ０１）においては、オーバーシュート信号は低い。同様に、「１１１１」の後の期間Ｄｘ４（切り替えＳＬ１０）において、オーバーシュート信号は高い。これに対して、「１」の後の期間Ｄｘ６（切り替えＳＳ１０）においては、オーバーシュート信号は低い。このように、第３参考例においては、記録情報Ｖｉｎｆの内容に応じて、オーバーシュートの大きさ（高さ）を変化させる。
【００４４】
このような第３参考例（オーバーシュート信号とＰＤＷとの組み合わせ）を用いた場合にも、問題が残ることが分かった。すなわちオーバーシュート信号を用いる場合には、オーバーシュート信号によって磁極１０の磁化の反転が速く生じる。このため、反転のタイミングが、本来のタイミングよりも早くなる。このため、記録エラーが生じ易い。すなわち、第２参考例（オーバーシュート信号）、または、第３参考例（オーバーシュート信号とＰＤＷとの組み合わせ）においては、反転のタイミング早くなるため、記録エラーが生じ易い。
【００４５】
この問題を解決する方法として、第４参考例のＷＰＣ（Write Pre-compensation）が考えられる。この方法では、オーバーシュート信号によって反転のタイミングが本来のタイミングよりも早くなることを補償するために、出力Ｖｄｒのタイミングを遅らせる。しかしながら、この第４参考例（ＷＰＣ）においては、記録の期間が本来の単位期間（「Ｔ」）よりも短くなる。このため、例えば、磁極１０における磁化反転の量が少なくなる。すなわち、記録磁化が小さくなる。結果として、記録密度の向上が不十分である。
【００４６】
このように、上記の第１参考例（記録電流Ｉｗの増大）では、フリンジ磁界により悪影響が生じる。第２参考例（オーバーシュート信号）においては、記録情報Ｖｉｎｆの内容が異なると、磁極１０の磁化の応答に差が生じる。さらに、第２参考例（オーバーシュート信号）、または、第３参考例（オーバーシュート信号とＰＤＷとの組み合わせ）においては、反転のタイミングが早くなり、記録エラーが生じる。第４参考例（ＷＰＣ）においては、記録磁界が小さくなるため、記録密度を十分に向上することが困難である。このように、オーバーシュート信号（情報の切り替えの直後に高いパルスを印加する方法）などを用いる発想では、記録密度は十分に向上できない。
【００４７】
これに対して、実施形態においては、情報の切り替えの直前のプレパルスと、情報の切り替えの直後のポストパルスと、を用いる。情報の切り替えの直前のプレパルスを用いることで、得られる記録磁界が均一になる。例えば、記録磁界の正負のバランスが良好になる。例えば、記録情報Ｖｉｎｆの内容が異なる場合においても、磁極１０の磁化の応答の差が小さくできる。そして、後述するように、反転のタイミングも適切に制御でき、記録エラーが抑制できる。さらに、大きな記録磁界が維持でき、高い記録密度が得られる。実施形態によれば、記録密度を向上できる磁気記録再生装置が提供できる。
【００４８】
実施形態に係るプレパルスは、上記の参考例などについて説明したオーバーシュート信号の発想とは異なる。参考例などにおけるオーバーシュート信号においては、情報が切り替わった後の磁化の応答を速くするために、オーバーシュート技術が導入される。これに対して、実施形態においては、情報の切り替えの直前のプレパルスを用いる。これにより、情報が切り替わる前の記録情報Ｖｉｎｆの内容が異なる場合においても、情報が切り替わる直前にコイル２０に加わる電圧の差異を小さくできる。すなわち、情報が切り替わる直前において、同じ電圧が印加される。
【００４９】
すなわち、実施形態においては、第１状態から第２状態への切り替えＳ１０の直前においては、第２電圧Ｖ２が印加される。切り替えＳ１０の直前の電圧は、切り替えＳ１０の前の記録情報Ｖｉｎｆの内容の影響を受けない。一方、第２状態から第１状態への切り替えＳ０１の直前においては、第５電圧Ｖ５が印加される。切り替えＳ０１の直前の電圧は、切り替えＳ０１の前の記録情報Ｖｉｎｆの内容の影響を受けない。このように、プレパルスの採用により、情報の切り替えの前の記録情報Ｖｉｎｆの内容が異なる場合にも、均一性の高い切り替えを行うことができる。
【００５０】
そして、実施形態において、このようなプレパルスとポストパルスとを組み合わせることで、記録情報Ｖｉｎｆが異なる場合にも、磁極の磁化の切り替えが高速化できる。これにより、記録密度を向上できる。
【００５１】
以下、本実施形態に係る磁気記録再生装置１５０の別の動作について説明する。  
図３（ａ）及び図３（ｂ）は、実施形態に係る磁気記録再生装置の別の動作を例示する模式図である。  
図３（ａ）は、磁気記録再生装置で記録される情報の例を示している。図３（ｂ）は、この情報を記録するための信号を例示している。図３（ａ）は、記録情報Ｖｉｎｆを例示している。図３（ａ）の縦軸は、記録情報Ｖｉｎｆに対応する信号電圧である。図３（ｂ）は、出力ドライバ１９０Ｄの出力Ｖｄｒを示している。図３（ｂ）の縦軸は、出力ドライバ１９０Ｄの出力Ｖｄｒ（出力信号の電圧）を示す。これらの図の横軸は、時間ｔを示す。
【００５２】
この例においては、磁気記録再生装置１５０の出力ドライバ１９０Ｄは、以下の第３動作ＯＰ３を実施する。第３動作ＯＰ３は、図３（ａ）に示すような記録情報Ｖｉｎｆの時に実施される。
【００５３】
第３動作ＯＰ３において、第７期間Ｄ７において、記録情報Ｖｉｎｆは第１情報（例えば「１」）である。第７期間Ｄ７の直後の第８期間Ｄ８において、記録情報Ｖｉｎｆは第２情報（例えば「０」）である。第８期間Ｄ８の直後の第９期間Ｄ９において、記録情報Ｖｉｎｆは第１情報である。
【００５４】
図３（ｂ）に示すように、第３動作ＯＰ３において、第７期間Ｄ７の少なくとも一部における出力Ｖｄｒは、第１極性（この例では正）の第７電圧Ｖ７である。第７電圧Ｖ７の絶対値は、第１電圧Ｖ１の絶対値よりも大きい。例えば、第７電圧Ｖ７の絶対値は、第２電圧Ｖ２の絶対値と同じでも良い。
【００５５】
第３動作ＯＰ３において、第８期間Ｄ８の少なくとも一部における出力Ｖｄｒは、第２極性（この例では負）の第８電圧Ｖ８である。第８電圧Ｖ８の絶対値は、第４電圧Ｖ４の絶対値よりも大きい。例えば、第８電圧Ｖ８の絶対値は、第３電圧Ｖ３の絶対値と同じでも良い。
【００５６】
第３動作ＯＰ３において、第９期間Ｄ９の少なくとも一部における出力Ｖｄｒは、第７電圧Ｖ７である。
【００５７】
このように、例えば、第３動作ＯＰ３は、「１０１」のように、「１Ｔ」の期間で「１」と「０」とが交互に切り替わるような場合に実施される。
【００５８】
さらに、出力ドライバ１９０Ｄは、以下の第４動作ＯＰ４をさらに実施しても良い。第４動作ＯＰ４は、記録情報Ｖｉｎｆが、第９期間Ｄ９の直後の第１０期間Ｄ１０において、第２情報（例えば「０」）であるときに実施される。
【００５９】
第４動作ＯＰ４において、第１０期間Ｄ１０の少なくとも一部における出力Ｖｄｒは、第８電圧Ｖ８である。
【００６０】
例えば、第４動作ＯＰ４は、「１０１０」のように、「１Ｔ」の期間で「１」と「０」とが交互に切り替わるような場合に実施される。
【００６１】
第３動作ＯＰ３及び第４動作ＯＰ４において、第７電圧Ｖ７の絶対値が第２電圧Ｖ２の絶対値と同じであり、第８電圧Ｖ８の絶対値が第３電圧Ｖ３の絶対値と同じである。
【００６２】
このような第３動作ＯＰ３及び第４動作ＯＰ４により、記録情報Ｖｉｎｆが「１０１０１０１０」である場合にも、磁極の磁化の切り替えが高速化できる。これにより、記録密度を向上できる。
【００６３】
図４（ａ）及び図４（ｂ）は、実施形態に係る磁気記録再生装置の別の動作を例示する模式図である。  
図４（ａ）は、磁気記録再生装置で記録される情報の例を示している。図４（ｂ）は、この情報を記録するための信号を例示している。図４（ａ）は、記録情報Ｖｉｎｆを例示している。図４（ａ）の縦軸は、記録情報Ｖｉｎｆに対応する信号電圧である。図４（ｂ）は、出力ドライバ１９０Ｄの出力Ｖｄｒを示している。図４（ｂ）の縦軸は、出力ドライバ１９０Ｄの出力Ｖｄｒ（出力信号の電圧）を示す。これらの図の横軸は、時間ｔを示す。
【００６４】
この例では、記録情報Ｖｉｎｆが「１１００１１」のように、「２Ｔ」の期間で「１」と「０」と交互にが切り替わる。
【００６５】
出力ドライバ１９０Ｄは、以下の第５動作ＯＰ５をさらに実施しても良い。第５動作ＯＰ５は、図４（ａ）に示すような記録情報Ｖｉｎｆの時に実施される。
【００６６】
第５動作ＯＰ５において、第１１期間Ｄ１１において、記録情報Ｖｉｎｆは、第１情報（例えば「１」）である。第１１期間Ｄ１１の直後の第１２期間Ｄ１２において、記録情報Ｖｉｎｆは、第１情報である。第１２期間Ｄ１２の直後の第１３期間Ｄ１３において、記録情報Ｖｉｎｆは、第２情報（例えば「０」）である。第１３期間Ｄ１３の直後の第１４期間Ｄ１４において第２情報である。
【００６７】
図４（ｂ）に示すように、第５動作ＯＰ５において、第１１期間Ｄ１１の少なくとも一部における出力Ｖｄｒは、第１極性（例えば正）の第９電圧Ｖ９である。第９電圧Ｖ９の絶対値は、第１電圧Ｖ１の絶対値よりも大きい。この例では、第９電圧Ｖ９は、第２電圧Ｖ２と同じである。第１２期間Ｄ１２の少なくとも一部における出力Ｖｄｒは、第２電圧Ｖ２である。第１３期間Ｄ１３の少なくとも一部における出力Ｖｄｒは、第３電圧Ｖ３である。第１４期間Ｄ１４の少なくとも一部における出力Ｖｄｒは、第２極性（例えば負）の第１０電圧Ｖ１０である。第１０電圧Ｖ１０の絶対値は、第４電圧Ｖ４の絶対値よりも大きい。この例では、第１０電圧Ｖ１０は、第３電圧Ｖ３と同じである。
【００６８】
上記の例において、第１２期間Ｄ１２の第２電圧Ｖ２は、第１状態から第２状態への切り替えＳ１０の直前のプレパルスに対応する。一方、第１３期間Ｄ１３の第３電圧Ｖ３は、第１状態から第２状態への切り替えＳ１０の直後のポストパルスに対応する。
【００６９】
そして、第１１期間Ｄ１１の第９電圧Ｖ９は、第２状態から第１状態への切り替えＳ０１の直後のポストパルスに対応する。第１４期間Ｄ１４の第１０電圧Ｖ１０は、第２状態から第１状態への切り替えＳ０１の直前のプレパルスに対応する。
【００７０】
さらに、出力ドライバ１９０Ｄは、以下の第６動作ＯＰ６をさらに実施しても良い。第６動作ＯＰ６は、記録情報Ｖｉｎｆが、第１４期間Ｄ１４の直後の第１５期間Ｄ１５において第１情報であり、第１５期間Ｄ１５の直後の第１６期間Ｄ１６において第１情報であるときに実施される（図４（ａ）参照）。
【００７１】
このような記録情報Ｖｉｎｆのときに、出力ドライバ１９０Ｄは、以下の第６動作ＯＰ６をさらに実施する（図４（ｂ）参照）。第６動作ＯＰ６において、第１５期間Ｄ１５の少なくとも一部における出力Ｖｄｒは、第９電圧Ｖ９である。第６動作ＯＰ６において、第１６期間Ｄ１６の少なくとも一部における出力Ｖｄｒは、第２電圧Ｖ２である。
【００７２】
第１５期間Ｄ１５の第９電圧Ｖ９は、第２状態から第１状態への切り替えＳ０１の直後のポストパルスに対応する。第１６期間Ｄ１６の第２電圧Ｖ２は、第１状態から第２状態への切り替えＳ１０の直前のプレパルスに対応する。
【００７３】
このような第５動作ＯＰ５及び第６動作ＯＰ６により、記録情報Ｖｉｎｆが「１１００１１」である場合にも、磁極の磁化の切り替えが高速化できる。これにより、記録密度を向上できる。
【００７４】
図５（ａ）及び図５（ｂ）は、実施形態に係る磁気記録再生装置の別の動作を例示する模式図である。  
図５（ａ）は、磁気記録再生装置で記録される情報の例を示している。図５（ｂ）は、この情報を記録するための信号を例示している。図５（ａ）は、記録情報Ｖｉｎｆを例示している。図５（ａ）の縦軸は、記録情報Ｖｉｎｆに対応する信号電圧である。図５（ｂ）は、出力ドライバ１９０Ｄの出力Ｖｄｒを示している。図５（ｂ）の縦軸は、出力ドライバ１９０Ｄの出力Ｖｄｒ（出力信号の電圧）を示す。これらの図の横軸は、時間ｔを示す。
【００７５】
この例では、記録情報Ｖｉｎｆが「１１１１０１０００」の例である。すなわち、「ロングＴ」と「ショートＴ］とが設けられている。
【００７６】
出力ドライバ１９０Ｄは、以下の第７動作ＯＰ７をさらに実施しても良い。第７動作ＯＰ７は、図５（ａ）に示すような記録情報Ｖｉｎｆの時に実施される。
【００７７】
第７動作ＯＰ７において、第１７期間Ｄ１７において、記録情報Ｖｉｎｆは、第１情報（例えば「１」）である。第１７期間Ｄ１７の直後の第１８期間Ｄ１８において、記録情報Ｖｉｎｆは、第１情報である。この例では、第１８期間Ｄ１８は、「２Ｔ」の期間である。第１８期間Ｄ１８の直後の第１９期間Ｄ１９において、記録情報Ｖｉｎｆは、第１情報である。第１９期間Ｄ１９の直後の第２０期間Ｄ２０において、記録情報Ｖｉｎｆは、第２情報（例えば「０」）である。第２０期間Ｄ２０の直後の第２１期間Ｄ２１において、記録情報Ｖｉｎｆは、第１情報である。
【００７８】
図５（ｂ）に示すように、第７動作ＯＰ７において、第１７期間Ｄ１７の少なくとも一部における出力Ｖｄｒは、第１極性（例えば正）の第１１電圧Ｖ１１である。第１１電圧Ｖ１１の絶対値は、第１電圧Ｖ１の前記絶対値よりも大きい。この例では、第１１電圧Ｖ１１は、第２電圧Ｖ２と同じである。第１１電圧Ｖ１１は、第６電圧Ｖ６（図１（ｂ）参照）と同じでも良い。第１８期間Ｄ１８の少なくとも一部における出力Ｖｄｒは、第１電圧Ｖ１である。第１９期間Ｄ１９の少なくとも一部における出力Ｖｄｒは、第２電圧Ｖ２である。第２０期間Ｄ２０の少なくとも一部における出力Ｖｄｒは、第２極性（例えば負）の第１２電圧Ｖ１２である。第１２電圧Ｖ１２の絶対値は、第４電圧Ｖ４の絶対値よりも大きい。この例では、第１２電圧Ｖ１２は、第３電圧Ｖ３と同じである。第２１期間Ｄ２１の少なくとも一部における出力Ｖｄｒは、第１１電圧Ｖ１１である。
【００７９】
この例において、第１９期間Ｄ１９の第２電圧Ｖ２は、第１状態から第２状態への切り替えＳ１０の直前のプレパルスに対応する。一方、第２０期間Ｄ２０の第１２電圧Ｖ１２は、第１状態から第２状態への切り替えＳ１０の直後のポストパルスに対応する。第２０期間Ｄ２０の第１２電圧Ｖ１２は、第２状態から第１状態への切り替えＳ０１の直前のプレパルスと見なしても良い。一方、第２１期間Ｄ２１の第１１電圧Ｖ１１は、第２状態から第１状態への切り替えＳ０１の直後のポストパルスと見なしても良い。
【００８０】
さらに、出力ドライバ１９０Ｄは、以下の第８動作ＯＰ８をさらに実施しても良い。第８動作ＯＰ８は、記録情報Ｖｉｎｆが、第２１期間Ｄ２１の直後の第２２期間Ｄ２２において第２情報であり、第２２期間Ｄ２２の直後の第２３期間Ｄ２３において第１情報であるときに実施される。
【００８１】
第８動作ＯＰ８において、第２２期間Ｄ２２の少なくとも一部における出力Ｖｄｒは、第３電圧Ｖ３である。第８動作ＯＰ８において、第２３期間Ｄ２３の少なくとも一部における出力Ｖｄｒは、第４電圧Ｖ４である。
【００８２】
この例において、第２２期間Ｄ２２の第３電圧Ｖ３は、第１状態から第２状態への切り替えＳ１０の直後のポストパルスに対応する。第２１期間Ｄ２１の第１１電圧Ｖ１１は、第１状態から第２状態への切り替えＳ１０の直前のプレパルスと見なしても良い。
【００８３】
このような第７動作ＯＰ７及び第８動作ＯＰ８により、記録情報Ｖｉｎｆが「１１１１０１０００」である場合にも、磁極の磁化の切り替えが高速化できる。これにより、記録密度を向上できる。
【００８４】
以下、実施形態に係る磁気記録再生装置１５０における特性の例について説明する。  
図６（ａ）及び図６（ｂ）は、実施形態に係る磁気記録再生装置の特性を例示する模式図である。  
図６（ａ）は、出力Ｄｖｒを例示している。図６（ａ）の横軸は、時間ｔである。縦軸は、信号電圧（出力ドライバ１９０Ｄの出力Ｖｄｒ）である。この例では、図１（ａ）に例示した記録情報Ｖｉｎｆ（「１１１０００１１１…」）に対応する出力Ｖｄｒが示されている。
【００８５】
図６（ａ）に示すように、第１比ｐ１を、｜Ｖ２−Ｖ１｜／｜Ｖ６−Ｖ１｜とする。すなわち、第１比は、第１情報に対応する出力Ｖｄｒにおける、プレパルスの高さの、ポストパルスの高さに対する比である。第２比ｐ２を、｜Ｖ５−Ｖ４｜／｜Ｖ３−Ｖ４｜とする。すなわち、第２比は、第２情報に対応する出力Ｖｄｒにおける、プレパルスの高さの、ポストパルスの高さに対する比である。
【００８６】
第１比ｐ１及び第２比ｐ２を変えると、再生波形歪ＡＮＬＴＳが変化する。さらに、ＷＰＣの量ＡＷＰＣを変化させても再生波形歪ＡＮＬＴＳが、変化する。ＷＰＣの量ＡＷＰＣが正のときに、出力Ｖｄｒの切り替えは、記録情報Ｖｉｎｆの切り替えよりも早い。ＷＰＣの量ＡＷＰＣが負のときに、出力Ｖｄｒの切り替えは、記録情報Ｖｉｎｆの切り替えよりも遅い。再生波形歪ＡＮＬＴＳは、「５次高調波法」の測定方法により測定される。再生波形歪ＡＮＬＴＳは、例えば、「１Ｔ」の期間の長さに対する、磁極１０の磁化の変化の時間に関する歪の比に対応する。以下の例では、第１比ｐ１、及び、ＷＰＣの量ＡＷＰＣを変えたときの、再生波形歪ＡＮＬＴＳの例について示す。以下の例では、第２比ｐ２は、第１比ｐ１と同じである。
【００８７】
図６（ｂ）は、磁気記録再生装置における再生波形歪ＡＮＬＴＳを示す。横軸は、ＷＰＣの量ＡＷＰＣである。縦軸は、再生波形歪ＡＮＬＴＳである。図６（ｂ）において、第１比ｐ１が、０、０．２５または０．５の場合の特性が示されている。
【００８８】
図６（ｂ）に示すように、第１比ｐ１がいずれの場合も、ＷＰＣの量ＡＷＰＣが負のときに、再生波形歪ＡＮＬＴＳは小さくなる。第１比ｐ１が０のとき（すなわち、ポストパルスがない第３参考例または第４参考例の場合）、再生波形歪ＡＮＬＴＳの最小値は大きい。
【００８９】
第１比ｐ１が０．２５のときの再生波形歪ＡＮＬＴＳの最小値は、第１比ｐ１が０のときの再生波形歪ＡＮＬＴＳの最小値よりも小さい。第１比ｐ１が０．５のときの再生波形歪ＡＮＬＴＳの最小値は、第１比ｐ１が０．２５のときの再生波形歪ＡＮＬＴＳの最小値よりも小さい。
【００９０】
例えば、第１比ｐ１が０．５のときの再生波形歪ＡＮＬＴＳの最小値と、第１比ｐ１が０のときの再生波形歪ＡＮＬＴＳの最小値と、の差は、約１０％である。
【００９１】
このように、第１比ｐ１が大きくなると、再生波形歪ＡＮＬＴＳの最小値が小さくなる。ＷＰＣの量ＡＷＰＣを、負で適切な値にすることで、このような小さな、再生波形歪ＡＮＬＴＳの最小値が得られる。
【００９２】
図７は、実施形態に係る磁気記録再生装置の特性を例示する模式図である。  
図７は、磁気記録再生装置における再生波形歪ＡＮＬＴＳを示す。縦軸は、再生波形歪ＡＮＬＴＳである。横軸は、第１比ｐ１である。この例では、第２比ｐ２は第１比ｐ１と同じである。この例では、第６電圧Ｖ６は、第１電圧Ｖ１の２倍である。ＷＰＣの量ＡＷＰＣは０である。
【００９３】
図７に示すように、第１比ｐ１が０．５以上１以下において、再生波形歪ＡＮＬＴＳは小さい。同様に、第２比ｐ２が０．５以上１以下において、再生波形歪ＡＮＬＴＳは小さくなる。
【００９４】
このように、第１比ｐ１は、１以下であることが好ましい。すなわち、第２電圧Ｖ２の絶対値と第１電圧Ｖ１の絶対値との差は、第６電圧Ｖ６の絶対値と第１電圧Ｖ１の絶対値との差以下であることが好ましい。そして、第５電圧Ｖ５の絶対値と第４電圧Ｖ４の絶対値との差は、第３電圧Ｖ３の絶対値と第４電圧Ｖ４の絶対値との差以下であることが好ましい。
【００９５】
例えば、第２電圧Ｖ２の絶対値と第１電圧Ｖ１の絶対値との差は、第６電圧Ｖ６の絶対値と第１電圧Ｖ１の絶対値との差の１／２以上であることが好ましい。そして、第５電圧Ｖ５の絶対値と第４電圧Ｖ４の絶対値との差は、第３電圧Ｖ３の絶対値と第４電圧Ｖ４の絶対値との差の１／２以上であることが好ましい。
【００９６】
図７に示すように、第１比ｐ１が０．６以上０．９以下において、再生波形歪ＡＮＬＴＳはさらに小さい。同様に、第２比ｐ２が０．６以上０．９以下において、再生波形歪ＡＮＬＴＳはさらに小さくなる。
【００９７】
例えば、実施形態において、第２電圧Ｖ２の絶対値と第１電圧Ｖ１の絶対値との差は、第６電圧Ｖ６の絶対値と第１電圧Ｖ１の絶対値との差の０．６倍以上０．９倍以下であることが好ましい。そして、第５電圧Ｖ５の絶対値と第４電圧Ｖ４の絶対値との差は、第３電圧Ｖ３の絶対値と第４電圧Ｖ４の絶対値との差の０．６倍以上０．９倍以下であることが好ましい。これにより、さらに小さい再生波形歪ＡＮＬＴＳが得られる。
【００９８】
実施形態において、プレパルスの時間の長さは、例えば、単位記録期間「Ｔ」程度とする。例えば、プレパルスの時間の長さは、単位記録期間「Ｔ」の０．６倍以上１．２倍以下である。実施形態において、ポストパルスの時間の長さは、例えば、単位記録期間「Ｔ」程度とする。例えば、ポストパルスの時間の長さは、単位記録期間「Ｔ」の１倍以上１．５倍以下である。例えば、プレパルスによって動かす磁化の大きさは、ポストパルスによって動かす磁化の大きさよりも小さくても良い。例えば、プレパルスの時間の長さは、ポストパルスの時間の長さよりも短くても良い。プレパルスの時間の長さは、単位記録期間「Ｔ」の０．６倍以上１．０倍未満であり、ポストパルスの時間の長さは、単位記録期間「Ｔ」の１．０倍以上１．５倍以下でも良い。
【００９９】
例えば、図１（ｂ）に示す例において、例えば、第２期間Ｄ２において出力Ｖｄｒが第２電圧Ｖ２である時間は、第１期間Ｄ１の長さの０．６倍以上１．２倍以下でも良い。例えば、第３期間Ｄ３において出力Ｖｄｒが第３電圧Ｖ３である時間は、第１期間Ｄ１の長さの１．０倍以上１．５倍以下でも良い。
【０１００】
例えば、第２期間Ｄ２において出力Ｖｄｒが第２電圧Ｖ２である時間は、第３期間Ｄ３において出力Ｖｄｒが第３電圧Ｖ３である時間よりも短くても良い。例えば、第２期間Ｄ２において出力Ｖｄｒが第２電圧Ｖ２である時間は、第１期間Ｄ１の長さの０．６倍以上１．０倍未満でも良い。例えば、第３期間Ｄ３において出力Ｖｄｒが第３電圧Ｖ３である時間は、第１期間Ｄ１の長さの１．０倍以上１．５倍以下でも良い。
【０１０１】
図８（ａ）及び図８（ｂ）は、実施形態に係る磁気記録再生装置を例示する模式図である。  
図８（ａ）は、磁気記録再生装置で記録される情報の例を示している。図８（ｂ）は、この情報を記録するための信号を例示している。この例では、図１（ａ）と同様に、記録情報Ｖｉｎｆは、「１１１０００１１１」である。
【０１０２】
図８（ｂ）に示すように、この例では、第３期間Ｄ３において出力Ｖｄｒが第３電圧Ｖ３である時間が、第２期間Ｄ２において出力Ｖｄｒが第２電圧Ｖ２である時間よりも長い。この例では、第３期間Ｄ３において出力Ｖｄｒが第３電圧Ｖ３である時間は、第１期間Ｄ１の長さよりも長い。第２期間Ｄ２において出力Ｖｄｒが第２電圧Ｖ２である時間は、第１期間Ｄ１の長さよりも短い。第３期間Ｄ３において出力Ｖｄｒが第３電圧Ｖ３である時間は、例えば、約「１．２Ｔ」である。第２期間Ｄ２において出力Ｖｄｒが第２電圧Ｖ２である時間は、例えば、約「０．８Ｔ」である。
【０１０３】
このとき、第４期間Ｄ４における一部の時間（第３期間Ｄ３の直後の期間）において、出力Ｖｄｒは、第３電圧Ｖ３であり、第４期間Ｄ４における残り時間において、出力Ｖｄｒは、第４電圧Ｖ４である。
【０１０４】
一方、第２期間Ｄ２の一部の時間（第１期間Ｄ１の直後の期間）において、出力Ｖｄｒは、第１電圧Ｖ１であり、第２期間Ｄ２における残りの時間において、出力Ｖｄｒは、第２電圧Ｖ２である。
【０１０５】
第１期間Ｄ１の一部の時間（始めの期間）において、出力Ｖｄｒは、第６電圧Ｖ６であり、第１期間Ｄ１における残りの時間において、出力Ｖｄｒは、第１電圧Ｖ１である。
【０１０６】
例えば、第１期間Ｄ１は、第１部分期間（始めの期間）と、第１部分期間の後の第２部分期間と、を含む。第１部分期間において、出力Ｖｄｒは第６電圧Ｖ６である。第２部分期間において、出力Ｖｄｒは第１電圧Ｖ１である。
【０１０７】
例えば、第４期間Ｄ４は、第３部分期間（第３期間Ｄ３の直後の期間）と、第３部分期間の後の第４部分期間と、を含む。第３部分期間において、出力Ｖｄｒは第３電圧Ｖ３である。第４部分期間において、出力Ｖｄｒは第４電圧Ｖ４である。
【０１０８】
例えば、第２期間Ｄ２は、第５部分期間（第１期間Ｄ１の直後の期間）と、第５部分期間の後の第６部分期間と、を含む。第５部分期間において、出力Ｖｄｒは第１電圧Ｖ１である。第６部分期間において、出力Ｖｄｒは第２電圧Ｖ２である。
【０１０９】
例えば、第５期間Ｄ５は、第７部分期間（第４時間Ｄ４の直後の期間）と、第７部分期間の後の第８部分期間と、を含む。第７部分期間において、出力Ｖｄｒは第４電圧Ｖ４である。第８部分期間において、出力Ｖｄｒは第５電圧Ｖ５である。  
このような動作においても、記録密度を向上できる。
【０１１０】
図９（ａ）及び図９（ｂ）は、実施形態に係る磁気記録再生装置を例示する模式図である。  
図９（ａ）は、磁気記録再生装置で記録される情報の例を示している。図９（ｂ）は、この情報を記録するための信号を例示している。この例でも、図１（ａ）と同様に、記録情報Ｖｉｎｆは、「１１１０００１１１」である。
【０１１１】
図９（ｂ）に示すように、この例でも、第３期間Ｄ３において出力Ｖｄｒが第３電圧Ｖ３である時間は、第２期間Ｄ２において出力Ｖｄｒが第２電圧Ｖ２である時間よりも長い。第３期間Ｄ３において出力Ｖｄｒが第３電圧Ｖ３である時間は、例えば、約「１．２Ｔ」である。第２期間Ｄ２において出力Ｖｄｒが第２電圧Ｖ２である時間は、例えば、約「１．０Ｔ」である。
【０１１２】
例えば、第４期間Ｄ４における一部の時間（第３期間Ｄ３の直後の期間）において、出力Ｖｄｒは、第３電圧Ｖ３であり、第４期間Ｄ４における残り時間において、出力Ｖｄｒは、第４電圧Ｖ４である。
【０１１３】
一方、第２期間Ｄ２の一部の時間（第１期間Ｄ１の直後の期間）において、出力Ｖｄｒは、第１電圧Ｖ１であり、第２期間Ｄ２における残りの時間において、出力Ｖｄｒは、第２電圧Ｖ２である。
【０１１４】
第１期間Ｄ１の一部の時間（始めの期間）において、出力Ｖｄｒは、第６電圧Ｖ６であり、第１期間Ｄ１における残りの時間において、出力Ｖｄｒは、第１電圧Ｖ１である。  
このような動作においても、記録密度を向上できる。
【０１１５】
図１０（ａ）及び図１０（ｂ）は、実施形態に係る磁気記録再生装置を例示する模式図である。  
図１０（ａ）は、磁気記録再生装置で記録される情報の例を示している。図１０（ｂ）は、この情報を記録するための信号を例示している。この例では、図４（ａ）と同様に、記録情報Ｖｉｎｆは、「１１００１１」のように、「２Ｔ」の期間で「１」と「０」と交互にが切り替わる。そして、この例では、第６電圧Ｖ６の絶対値は、第２電圧Ｖ２の絶対値よりも大きく、第５電圧Ｖ５の絶対値は、第３電圧Ｖ３の絶対値よりも大きい。
【０１１６】
図１０（ｂ）に示すように、第１１期間Ｄ１１における出力Ｖｄｒは、第９電圧Ｖ９である。第１２期間Ｄ１２の一部（第１１期間Ｄ１１の直後の時間）における出力Ｖｄｒは、第９電圧Ｖ９である。第１２期間Ｄ１２の残りの時間における出力Ｖｄｒは、第２電圧Ｖ２である。第１３期間Ｄ１３における出力Ｖｄｒは、第３電圧Ｖ３である。第１４期間Ｄ１４の一部（第１３期間Ｄ１３の直後の時間）における出力Ｖｄｒは、第３電圧Ｖ３である。第１４期間Ｄ１４の残りの時間における出力は、第１０電圧Ｖ１０である。第９電圧Ｖ９は、第６電圧Ｖ６と同じでも良い。第１０電圧Ｖ１０は、第５電圧Ｖ５と同じでも良い。
【０１１７】
例えば、第１１期間Ｄ１１と、第１２期間Ｄ１２のうちの第１１期間Ｄ１１の直後の時間と、が、ポストパルスに対応する。例えば、第１２期間Ｄ１２の残りの時間が、プレパルスに対応する。例えば、第１３期間Ｄ１３と、第１４期間Ｄ１４のうちの第１３期間Ｄ１３の直後の時間と、が、ポストパルスに対応する。例えば、第１４期間Ｄ１４の残りの時間が、プレパルスに対応する。  
このような動作においても、記録密度を向上できる。
【０１１８】
図１１（ａ）〜図１１（ｃ）は、実施形態に係る磁気記録再生装置を例示する模式図である。  
これらの図は、出力Ｖｄｒを得る方法の例を示している。これらの図の横軸は、時間ｔである。縦軸は、信号電圧である。この例では、記録情報Ｖｉｎｆが第１情報である場合の出力Ｖｄｒについて説明する。
【０１１９】
図１１（ａ）に示すように、記録情報Ｖｉｎｆに対応する第１波形が得られる。
【０１２０】
図１１（ｂ）に示すように、第１波形に応じた第２波形が得られる。第２波形においては、例えば、第１波形が変化するときに、波形のレベル高い。
【０１２１】
図１１（ｃ）に示すように、第３波形が得られる。第３波形は、第１波形と第２波形との和である。第３波形は、図１（ｂ）に関して説明した第１電圧Ｖ１、第２電圧Ｖ２及び第６電圧Ｖ６を含む。記録情報Ｖｉｎｆが第２情報である場合の出力Ｖｄｒも、上記と同様にして得られる。
【０１２２】
図１２は、実施形態に係る磁気記録再生装置の一部を例示する模式的断面図である。  
図１２は、磁気ヘッド１１０を例示している。  
図１２に示すように、磁気ヘッド１１０は、磁極１０とコイル２０の他に、第１シールド３１、第２シールド３２及び絶縁部１０ｉを含む。第１シールド３１と第２シールド３２との間に、磁極１０及びコイル２０が設けられる。絶縁部１０ｉは、例えば、磁極１０、コイル２０、第１シールド３１及び第２シールド３２のそれぞれの間、及び、それらの少なくとも一部を覆う。
【０１２３】
磁気ヘッド１１０は、磁気記録媒体８０に対向するように、配置される。磁気ヘッド１１０は、媒体対向面１０ａ（ＡＢＳ：Air Bearing Surface）を有する。磁極１０から発生した磁束が、磁気記録媒体８０に印加され、磁気記録媒体８０に情報が記録される。
【０１２４】
Ｚ軸方向に対して垂直な１つの方向をＸ軸方向とする。Ｚ軸方向及びＸ軸方向に対して垂直な方向をＹ軸方向とする。
【０１２５】
トラック幅方向（Ｙ軸方向）は、媒体対向面１０ａに対して実質的に平行である。磁気記録媒体８０は、例えば、媒体基板８２と、磁気記録層８１と、を含む。磁気記録層８１は、媒体基板８２の上に設けられる。磁気記録層８１に複数の記録ビット８４が設けられる。磁気記録媒体８０は、媒体移動方向８５に沿って、磁気ヘッド１１０に対して相対的に移動する。媒体移動方向８５は、例えば、第２方向（Ｘ軸方向）に沿う。磁気ヘッド１１０において、磁化８３の方向を検出する再生部（図示しない）がさらに設けられても良い。
【０１２６】
図１３は、実施形態に係る磁気記録再生装置の一部を例示する模式的斜視図である。  
図１３は、磁気ヘッドが搭載されるヘッドスライダを例示している。  
磁気ヘッド１１０は、ヘッドスライダ３に搭載される。ヘッドスライダ３には、例えばＡｌ２Ｏ３／ＴｉＣなどが用いられる。ヘッドスライダ３は、磁気記録媒体８０の上を、浮上または接触しながら、磁気記録媒体８０に対して相対的に運動する。
【０１２７】
ヘッドスライダ３は、例えば、空気流入側３Ａと空気流出側３Ｂとを有する。磁気ヘッド１１０は、ヘッドスライダ３の空気流出側３Ｂの側面などに配置される。これにより、ヘッドスライダ３に搭載された磁気ヘッド１１０は、磁気記録媒体８０の上を浮上または接触しながら磁気記録媒体８０に対して相対的に運動する。
【０１２８】
図１４は、実施形態に係る磁気記録再生装置を例示する模式的斜視図である。  
図１５（ａ）及び図１５（ｂ）は、実施形態に係る磁気記録再生装置の一部を例示する模式的斜視図である。  
図１４に示したように、実施形態に係る磁気記録再生装置１５０は、ロータリーアクチュエータを用いた形式の装置である。記録用媒体ディスク１８０は、スピンドルモータ４に装着され、駆動装置制御部からの制御信号に応答するモータにより矢印Ａの方向に回転する。本実施形態に係る磁気記録再生装置１５０は、複数の記録用媒体ディスク１８０を備えても良い。磁気記録再生装置１５０は、記録媒体１８１を含んでもよい。例えば、磁気記録再生装置１５０は、ハイブリッドＨＤＤ（Hard Disk Drive）である。記録媒体１８１は、例えば、ＳＳＤ（Solid State Drive）である。記録媒体１８１には、例えば、フラッシュメモリなどの不揮発性メモリが用いられる。
【０１２９】
記録用媒体ディスク１８０に格納する情報の記録再生を行うヘッドスライダ３は、既に説明したような構成を有し、薄膜状のサスペンション１５４の先端に取り付けられている。ここで、ヘッドスライダ３の先端付近に、例えば、既に説明した実施形態に係る磁気ヘッドのいずれかが搭載される。
【０１３０】
記録用媒体ディスク１８０が回転すると、サスペンション１５４による押し付け圧力とヘッドスライダ３の媒体対向面（ＡＢＳ）で発生する圧力とがつりあい、ヘッドスライダ３の媒体対向面は、記録用媒体ディスク１８０の表面から所定の浮上量をもって保持される。なお、ヘッドスライダ３が記録用媒体ディスク１８０と接触するいわゆる「接触走行型」としても良い。
【０１３１】
サスペンション１５４は、アーム１５５（例えばアクチュエータアーム）の一端に接続されている。アーム１５５は、例えば、駆動コイルを保持するボビン部などを有する。アーム１５５の他端には、リニアモータの一種であるボイスコイルモータ１５６が設けられている。ボイスコイルモータ１５６は、アーム１５５のボビン部に巻き上げられた駆動コイルと、このコイルを挟み込むように対向して配置された永久磁石及び対向ヨークからなる磁気回路とを含むことができる。サスペンション１５４は、一端と他端とを有し、磁気ヘッドは、サスペンション１５４の一端に搭載され、アーム１５５は、サスペンション１５４の他端に接続されている。
【０１３２】
アーム１５５は、軸受部１５７の上下２箇所に設けられたボールベアリングによって保持され、ボイスコイルモータ１５６により回転摺動が自在にできるようになっている。その結果、磁気ヘッドを記録用媒体ディスク１８０の任意の位置に移動可能となる。
【０１３３】
図１５（ａ）は、磁気記録再生装置の一部の構成を例示しており、ヘッドスタックアセンブリ１６０の拡大斜視図である。  
また、図１５（ｂ）は、ヘッドスタックアセンブリ１６０の一部となる磁気ヘッドアセンブリ（ヘッドジンバルアセンブリ：ＨＧＡ）１５８を例示する斜視図である。
【０１３４】
図１５（ａ）に示したように、ヘッドスタックアセンブリ１６０は、軸受部１５７と、ヘッドジンバルアセンブリ１５８と、支持フレーム１６１と、を含む。ヘッドジンバルアセンブリ１５８は、軸受部１５７から延びる。支持フレーム１６１は、軸受部１５７からＨＧＡと反対方向に延びる。支持フレーム１６１は、ボイスコイルモータのコイル１６２を支持する。
【０１３５】
また、図１５（ｂ）に示したように、ヘッドジンバルアセンブリ１５８は、軸受部１５７から延びたアーム１５５と、アーム１５５から延びたサスペンション１５４と、を有している。
【０１３６】
サスペンション１５４の先端には、ヘッドスライダ３が取り付けられている。そして、ヘッドスライダ３には、実施形態に係る磁気ヘッドのいずれかが搭載される。
【０１３７】
すなわち、実施形態に係る磁気ヘッドアセンブリ（ヘッドジンバルアセンブリ）１５８は、実施形態に係る磁気ヘッドと、磁気ヘッドが搭載されたヘッドスライダ３と、ヘッドスライダ３を一端に搭載するサスペンション１５４と、サスペンション１５４の他端に接続されたアーム１５５と、を備える。
【０１３８】
サスペンション１５４は、信号の記録及び再生用、浮上量調整のためのヒーター用、及び、例えばスピントルク発振子用などのためのリード線（図示しない）を有する。これらのリード線と、ヘッドスライダ３に組み込まれた磁気ヘッドの各電極と、が電気的に接続される。
【０１３９】
また、磁気ヘッドを用いて磁気記録媒体への信号の記録及び再生を行う信号処理部１９０が設けられる。信号処理部１９０は、例えば、磁気記録再生装置１５０の一部（図１４参照）に設けられる。信号処理部１９０の入出力線は、ヘッドジンバルアセンブリ１５８の電極パッドに接続され、磁気ヘッドと電気的に結合される。
【０１４０】
このように、本実施形態に係る磁気記録再生装置１５０は、磁気記録媒体と、上記の実施形態に係る磁気ヘッドと、磁気記録媒体と磁気ヘッドとを離間させ、または、接触させた状態で相対的に移動可能とした可動部と、磁気ヘッドを磁気記録媒体の所定記録位置に位置合わせする位置制御部と、磁気ヘッドを用いて磁気記録媒体への信号の記録及び再生を行う信号処理部と、を備える。
【０１４１】
すなわち、上記の磁気記録媒体として、記録用媒体ディスク１８０が用いられる。  
上記の可動部は、ヘッドスライダ３を含むことができる。  
また、上記の位置制御部は、ヘッドジンバルアセンブリ１５８を含むことができる。
【０１４２】
このように、本実施形態に係る磁気記録再生装置１５０は、磁気記録媒体と、実施形態に係る磁気ヘッドアセンブリと、磁気ヘッドアセンブリに搭載された磁気ヘッドを用いて磁気記録媒体への信号の記録及び再生を行う信号処理部と、を備える。
【０１４３】
実施形態は、例えば、以下の構成（例えば特徴）を含む。  
（構成１）  
磁極とコイルとを含む磁気ヘッドと、
前記磁気ヘッドにより記録情報が記録される磁気記録媒体と、
前記コイルに電気的に接続され第１動作を行う出力ドライバと、
を備え、
前記第１動作は、前記記録情報が、
第１期間において第１情報であり、
前記第１期間の直後の第２期間において前記第１情報であり、
前記第２期間の直後の第３期間において前記第１情報とは異なる第２情報であり、
前記第３期間の直後の第４期間において前記第２情報であるときに実施され、
前記第１動作において、
前記第１期間の少なくとも一部における前記出力ドライバの出力は、第１極性の第１電圧であり、
前記第２期間の少なくとも一部における前記出力は、前記第１極性の第２電圧であり、前記第２電圧の絶対値は前記第１電圧の絶対値よりも大きく、
前記第３期間の少なくとも一部における前記出力は、前記第１極性とは逆の第２極性の第３電圧であり、
前記第４期間の少なくとも一部における前記出力は、前記第２極性の第４電圧であり、前記第４電圧の絶対値は前記第３電圧の絶対値よりも小さい、磁気記録再生装置。
（構成２）  
前記出力ドライバは、第２動作をさらに実施し、
前記第２動作は、前記記録情報が、
前記第４期間の直後の第５期間に前記第２情報であり、
前記第５期間の直後の第６期間に前記第１情報であるとき実施され、
前記第２動作において、
前記第５期間の少なくとも一部における前記出力は、前記第２極性の第５電圧であり、前記第５電圧の絶対値は、前記第４電圧の前記絶対値よりも大きく、
前記第６期間の少なくとも一部における前記出力は、前記第１極性の第６電圧であり、前記第６電圧の絶対値は、前記第１電圧の前記絶対値よりも大きい、構成１記載の磁気記録再生装置。
（構成３）  
前記第２電圧の前記絶対値と前記第１電圧の前記絶対値との差は、前記第６電圧の前記絶対値と前記第１電圧の前記絶対値との差以下である、構成２記載の磁気記録再生装置。
（構成４）  
前記第５電圧の前記絶対値と前記第４電圧の前記絶対値との差は、前記第３電圧の前記絶対値と前記第４電圧の前記絶対値との差以下であり、構成２または３に記載の磁気記録再生装置。
（構成５）  
前記第２電圧の前記絶対値と前記第１電圧の前記絶対値との前記差は、前記第６電圧の前記絶対値と前記第１電圧の前記絶対値との前記差の１／２以上である、構成３または４に記載の磁気記録再生装置。
（構成６）  
前記第５電圧の前記絶対値と前記第４電圧の前記絶対値との前記差は、前記第３電圧の前記絶対値と前記第４電圧の前記絶対値との前記差の１／２以上である、構成５に記載の磁気記録再生装置。
（構成７）  
前記第２電圧の前記絶対値と前記第１電圧の前記絶対値との前記差は、前記第６電圧の前記絶対値と前記第１電圧の前記絶対値との前記差の０．６倍以上０．９倍以下である、構成３または４に記載の磁気記録再生装置。
（構成８）  
前記第５電圧の前記絶対値と前記第４電圧の前記絶対値との前記差は、前記第３電圧の前記絶対値と前記第４電圧の前記絶対値との前記差の０．６倍以上０．９倍以下である、構成７記載の磁気記録再生装置。
（構成９）  
前記出力ドライバは、第３動作をさらに実施し、
前記第３動作は、前記記録情報が、
第７期間において第１情報であり、
前記第７期間の直後の第８期間において前記第２情報であり、
前記第８期間の直後の第９期間において前記第１情報であるときに実施され、
前記第３動作において、
前記第７期間の少なくとも一部における前記出力は、前記第１極性の第７電圧であり、前記第７電圧の絶対値は、前記第１電圧の前記絶対値よりも大きく、
前記第８期間の少なくとも一部における前記出力は、前記第２極性の第８電圧であり、前記第８電圧の絶対値は、前記第４電圧の前記絶対値よりも大きく、
前記第９期間の少なくとも一部における前記出力は、前記第７電圧である、構成１〜８のいずれか１つに記載の磁気記録再生装置。
（構成１０）  
前記出力ドライバは、第４動作をさらに実施し、
前記第４動作は、前記記録情報が、前記第９期間の直後の第１０期間において前記第２情報であるときに実施され、
前記第４動作において、
前記第１０期間の少なくとも一部における前記出力は、前記第８電圧である、構成９記載の磁気記録再生装置。
（構成１１）  
前記出力ドライバは、第５動作をさらに実施し、
前記第５動作は、前記記録情報が、
第１１期間において前記第１情報であり、
前記第１１期間の直後の第１２期間において前記第１情報であり、
前記第１２期間の直後の第１３期間において前記第２情報であり、
前記第１３期間の直後の第１４期間において前記第２情報であるときに実施され、
前記第５動作において、
前記第１１期間の少なくとも一部における前記出力は、前記第１極性の第９電圧であり、前記第９電圧の絶対値は、前記第１電圧の前記絶対値よりも大きく、
前記第１２期間の少なくとも一部における前記出力は、前記第２電圧であり、
前記第１３期間の少なくとも一部における前記出力は、前記第３電圧であり、
前記第１４期間の少なくとも一部における前記出力は、前記第２極性の第１０電圧であり、前記第１０電圧の絶対値は前記第４電圧の前記絶対値よりも大きい、構成１〜１０のいずれか１つに記載の磁気記録再生装置。
（構成１２）  
前記出力ドライバは、第６動作をさらに実施し、
前記第６動作は、前記記録情報が、
前記第１４期間の直後の第１５期間において前記第１情報であり、
前記第１５期間の直後の第１６期間において前記第１情報であるときに実施され、
前記第６動作において、
前記第１５期間の少なくとも一部における前記出力は、前記第９電圧であり、
前記第１６期間の少なくとも一部における前記出力は、前記第２電圧である、構成１１記載の磁気記録再生装置。
（構成１３）  
前記出力ドライバは、第７動作をさらに実施し、
前記第７動作は、前記記録情報が、
第１７期間において前記第１情報であり、
前記第１７期間の直後の第１８期間において前記第１情報であり、
前記第１８期間の直後の第１９期間において前記第１情報であり、
前記第１９期間の直後の第２０期間において前記第２情報であり、
前記第２０期間の直後の第２１期間において前記第１情報であるときに実施され、
前記第７動作において、
前記第１７期間の少なくとも一部における前記出力は、前記第１極性の第１１電圧であり、前記第１１電圧の絶対値は、前記第１電圧の前記絶対値よりも大きく、
前記第１８期間の少なくとも一部における前記出力は、前記第１電圧であり、
前記第１９期間の少なくとも一部における前記出力は、前記第２電圧であり、
前記第２０期間の少なくとも一部における前記出力は、前記第２極性の第１２電圧であり、前記第１２電圧の絶対値は、前記第４電圧の前記絶対値よりも大きく、
前記第２１期間の少なくとも一部における前記出力は、前記第１１電圧である、構成１〜１２のいずれか１つに記載の磁気記録再生装置。
（構成１４）  
前記出力ドライバは、第８動作をさらに実施し、
前記第８動作は、前記記録情報が、
前記第２１期間の直後の第２２期間において前記第２情報であり、
前記第２２期間の直後の第２３期間において前記第１情報であり、
前記第８動作において、
前記第２２期間の少なくとも一部における前記出力は、前記第３電圧であり、
前記第２３期間の少なくとも一部における前記出力は、前記第４電圧である、構成１３記載の磁気記録再生装置。
（構成１５）  
前記第１期間は、第１部分期間と、前記第１部分期間の後の第２部分期間と、を含み、
前記第１部分期間において、前記出力は前記第６電圧であり、
前記第２部分期間において、前記出力は前記第１電圧である、構成２記載の磁気記録再生装置。
（構成１６）  
前記第４期間は、第３部分期間と、前記第３部分期間の後の第４部分期間と、を含み、
前記第３部分期間において、前記出力は前記第３電圧であり、
前記第４部分期間において、前記出力は前記第４電圧である、構成２または１５に記載の磁気記録再生装置。
（構成１７）  
前記第２期間は、第５部分期間と、前記第５部分期間の後の第６部分期間と、を含み、
前記第５部分期間において、前記出力は前記第１電圧であり、
前記第６部分期間において、前記出力は前記第２電圧である、構成２または１５または１６に記載の磁気記録再生装置。
（構成１８）  
前記第５期間は、第７部分期間と、前記第７部分期間の後の第８部分期間と、を含み、
前記第７部分期間において、前記出力は前記第４電圧であり、
前記第８部分期間において、前記出力は前記第５電圧である、構成２または１５または１６または１７に記載の磁気記録再生装置。
【０１４４】
実施形態によれば、記録密度を向上できる磁気記録再生装置が提供できる。
【０１４５】
本願明細書において、「垂直」及び「平行」は、厳密な垂直及び厳密な平行だけではなく、例えば製造工程におけるばらつきなどを含むものであり、実質的に垂直及び実質的に平行であれば良い。
【０１４６】
以上、具体例を参照しつつ、本発明の実施の形態について説明した。しかし、本発明は、これらの具体例に限定されるものではない。例えば、磁気記憶装置に含まれる磁気ヘッド、磁気記録媒体及び出力ドライバなどの各要素の具体的な構成に関しては、当業者が公知の範囲から適宜選択することにより本発明を同様に実施し、同様の効果を得ることができる限り、本発明の範囲に包含される。
【０１４７】
また、各具体例のいずれか２つ以上の要素を技術的に可能な範囲で組み合わせたものも、本発明の要旨を包含する限り本発明の範囲に含まれる。
【０１４８】
その他、本発明の実施の形態として上述した磁気記憶装置を基にして、当業者が適宜設計変更して実施し得る全ての磁気記憶装置も、本発明の要旨を包含する限り、本発明の範囲に属する。
【０１４９】
その他、本発明の思想の範疇において、当業者であれば、各種の変更例及び修正例に想到し得るものであり、それら変更例及び修正例についても本発明の範囲に属するものと了解される。
【０１５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１５１】
３…ヘッドスライダ、  ３Ａ…空気流入側、  ３Ｂ…空気流出側、  ４…スピンドルモータ、  １０…磁極、  １０ａ…媒体対向面、  １０ｉ…絶縁部、  １１…第１端部、  １２…第２端部、  １３…第３端部、  １４…中間部分、  ２０…コイル、  ３１、３２…第１、第２シールド、  ８０…磁気記録媒体、  ８１…磁気記録層、  ８２…媒体基板、  ８３…磁化、  ８４…記録ビット、  ８５…媒体移動方向、  １１０、１１１、１１９ａ、１１９ｂ、１２０、１２１…磁気ヘッド、  １５０、１５０ｘ、１５０ｙ、１５０ｚ…磁気記録再生装置、  １５４…サスペンション、  １５５…アーム、  １５６…ボイスコイルモータ、  １５７…軸受部、  １５８…ヘッドジンバルアセンブリ、  １６０…ヘッドスタックアセンブリ、  １６１…支持フレーム、  １６２…コイル、  １８０…記録用媒体ディスク、  １８１…記録媒体、  １９０…信号処理部、  １９０Ｄ…出力ドライバ、  Ａ…矢印、  ＡＮＬＴＳ…再生波形歪、  ＡＷＰＣ…量、  Ｄ１〜Ｄ２３…第１〜第２３期間、  Ｄｖｒ…出力、  Ｄｘ１〜Ｄｘ７…期間、  Ｉｗ…記録電流、  ＯＰ１〜ＯＰ８…第１〜第８動作、  Ｓ０１、Ｓ１０、ＳＬ０１、ＳＬ１０、ＳＳ０１、ＳＳ１０…切り替え、  Ｖ１〜Ｖ１２…第１〜第１２電圧、  Ｖｉ０、Ｖｉ１…電圧、  Ｖｉｎｆ…記録情報、  ｐ１、ｐ２…第１、第２比、  ｔ…時間
【図１】
2017168168.tif 000003
【図２】
2017168168.tif 000004
【図３】
2017168168.tif 000005
【図４】
2017168168.tif 000006
【図５】
2017168168.tif 000007
【図６】
2017168168.tif 000008
【図７】
2017168168.tif 000009
【図８】
2017168168.tif 000010
【図９】
2017168168.tif 000011
【図１０】
2017168168.tif 000012
【図１１】
2017168168.tif 000013
【図１２】
2017168168.tif 000014
【図１３】
2017168168.tif 000015
【図１４】
2017168168.tif 000016
【図１５】
2017168168.tif 000017